(57)【要約】【課題】ライブビュー撮影時の操作性を損なうことのない撮像装置を提供する。【解決手段】光学ファインダに使用者の目が接近したかどうかを検出する接眼検知手段２２７，２３３と、通常撮影モードに切り換えられている場合には、接眼検知手段によって、光学ファインダに使用者の目が接近したことが検知されたときに、画像表示器２３６の表示をオフにするように制御するとともに、ライブビュー撮影モードに切り換えられている場合には、接眼検知手段によって、光学ファインダに使用者の目が接近したことが検知されたとしても、画像表示器の表示を継続するように制御する制御手段２２３とを有する。【選択図】図１
2008258969.tif 000002
【特許請求の範囲】
【請求項１】
光学ファインダにて被写体像を観察することができる通常撮影モードと、画像表示器にて被写体像を観察することができるライブビュー撮影モードを切り換える撮影モード切換手段と、
前記光学ファインダに使用者の目が接近したかどうかを検出する接眼検知手段と、
前記通常撮影モードに切り換えられている場合には、前記接眼検知手段によって、前記光学ファインダに使用者の目が接近したことが検知されたときに、前記画像表示器の表示をオフにするように制御するとともに、前記ライブビュー撮影モードに切り換えられている場合には、前記接眼検知手段によって、前記光学ファインダに使用者の目が接近したことが検知されたとしても、前記画像表示器の表示を継続するように制御する制御手段とを有することを特徴とする撮像装置。
【請求項２】
光学ファインダにて被写体像を観察することができる通常撮影モードと、画像表示器にて被写体像を観察することができるライブビュー撮影モードを切り換える撮影モード切換手段と、
前記光学ファインダに使用者の目が接近したかどうかを検出する接眼検知手段と、
前記通常撮影モードに切り換えられている場合には、前記接眼検知手段によって、前記光学ファインダに使用者の目が接近したことが検知されたときに、前記画像表示器の表示をオフにするように制御するとともに、前記ライブビュー撮影モードに切り換えられている場合には、前記接眼検知手段の検知動作を禁止するように制御する制御手段とを有することを特徴とする撮像装置。
【発明の詳細な説明】
【技術分野】
【０００１】
本発明は、光学ファインダにて被写体像を観察することができる通常撮影モードと、画像表示器にて被写体像を観察することができるライブビュー撮影モードを切り換える撮影モード切換手段を有する撮像装置に関するものである。
【背景技術】
【０００２】
一眼レフレックスタイプのデジタルカメラは、撮像素子の前段に、撮影光路に対して進退可能なクイックリターンミラーを有している。このクイックリターンミラーは、フレーミング時には、撮影光路内に進入して撮像レンズを透過した被写体光をファインダへ導き、撮影時には、撮影光路から退避する構成になっている。また、この種のカメラ本体の背面には画像表示器が具備されており、撮影画像の確認表示に用いたり、各種カメラの動作設定値（シャッタスピード、絞り値、撮像感度、撮影モード等）の確認に用いたりされている。
【０００３】
一方、コンパクトカメラタイプのデジタルカメラには、上記のクイックリターンミラーは具備されておらず、画像表示器に撮像素子で得られる画像をリアルタイムで表示する、所謂ライブビュー表示を行い、フレーミングを可能にしている。また、別のフレーミングを可能にする手段として、クイックリターンミラーを有しない光学ファインダを設けているものもある。
【０００４】
一眼レフレックスタイプのデジタルカメラに使用される、クイックリターンミラーを有する光学ファインダは、フレーミング時に画像表示器に画像表示を行う必要がないので、省電力である。しかし、ファインダで確認できるファインダ像は、ペンタプリズム、接眼レンズ、ピント板等の光学部材を有しているため、撮像素子によって得られる画像と差異が生じてしまう。
【０００５】
それに対し、ライブビュー表示を行ってフレーミングを行うコンパクトカメラタイプのデジタルカメラは、撮像素子によって得られる画像を画像表示器に表示しているので、フレーミング時の画像と撮影結果に差異が生じない。しかし、ライブビュー表示は、撮像素子や画像表示器等を駆動するために電力を必要としているため、省電力ではない。また、コンパクトカメラタイプのデジタルカメラに用いられるクイックリターンミラーを有しない光学ファインダは、撮像光学系とは完全に独立した光学系である。そのため、一眼レフレックスタイプのファインダよりも、撮像素子とファインダで確認できるファインダ像の差異が大きい。
【０００６】
上記の点に鑑み、一眼レフレックスタイプのデジタルカメラにおいては、クイックリターンミラーを撮影光路から退避させて、ライブビュー表示を行う構成のものが開示されている（特許文献１）。また、コンパクトカメラタイプのデジタルカメラにおいては、省電力を目的として、画像表示器に画像表示を行っている際に光学ファインダの使用を接眼検知手段により検知すると、画像表示器のバックライトを消灯するものが開示されている（特許文献２）。
【特許文献１】特開２００１−２７２５９３号公報
【特許文献２】特開２０００−１６５７０５号公報
【発明の開示】
【発明が解決しようとする課題】
【０００７】
ところで、上記特許文献１にて開示されているライブビュー表示の機能を有する一眼レフレックスタイプのデジタルカメラに、上記特許文献２にて開示されている技術を具備することは有効である。例えば、画像表示器に再生画像を表示している際に、撮影者（使用者）がファインダを覗いた事を接眼検知手段で検知した場合、画像再生を中止し、光学ファインダを用いた撮影モードへと移行するようにする。この事で、モード移行のための何らかの操作を必要とする事なく、通常の撮影準備動作、操作を行う事が可能となる。よって、操作性が改善され、かつ速やかに画像表示器の作動を停止する事ができるので省電力化も実現可能となる。
【０００８】
しかしながら、上記構成の一眼レフレックスタイプのデジタルカメラを実現しようとした場合、以下のような課題を有している。つまり、クイックリターンミラーを退避させ、撮像素子にて画像取り込みを行い、画像表示器に画像を表示させてフレーミングを行うライブビュー表示を行っているとする。この際に、接眼検知手段によって接眼もしくはそれに類する状態を検知した場合、画像表示器での画像表示が中止され、撮影者によるライブビュー表示を見ながらのフレーミングが不可能となってしまう。
【０００９】
（発明の目的）
本発明の目的は、ライブビュー撮影時の操作性を損なうことのない撮像装置を提供しようとするものである。
【課題を解決するための手段】
【００１０】
上記目的を達成するために、本発明の撮像装置は、光学ファインダにて被写体像を観察することができる通常撮影モードと、画像表示器にて被写体像を観察することができるライブビュー撮影モードを切り換える撮影モード切換手段と、前記光学ファインダに使用者の目が接近したかどうかを検出する接眼検知手段と、前記通常撮影モードに切り換えられている場合には、前記接眼検知手段によって、前記光学ファインダに使用者の目が接近したことが検知されたときに、前記画像表示器の表示をオフにするように制御するとともに、前記ライブビュー撮影モードに切り換えられている場合には、前記接眼検知手段によって、前記光学ファインダに使用者の目が接近したことが検知されたとしても、前記画像表示器の表示を継続するように制御する制御手段とを有することを特徴とする。
【００１１】
同じく上記目的を達成するために、本発明の撮像装置は、光学ファインダにて被写体像を観察することができる通常撮影モードと、画像表示器にて被写体像を観察することができるライブビュー撮影モードを切り換える撮影モード切換手段と、前記光学ファインダに使用者の目が接近したかどうかを検出する接眼検知手段と、前記通常撮影モードに切り換えられている場合には、前記接眼検知手段によって、前記光学ファインダに使用者の目が接近したことが検知されたときに、前記画像表示器の表示をオフにするように制御するとともに、前記ライブビュー撮影モードに切り換えられている場合には、前記接眼検知手段の検知動作を禁止するように制御する制御手段とを有することを特徴とする。
【発明の効果】
【００１２】
本発明によれば、ライブビュー撮影時の操作性を損なうことのない撮像装置を提供できるものである。
【発明を実施するための最良の形態】
【００１３】
本発明を実施するための最良の形態は、以下の実施例に示す通りである。
【実施例】
【００１４】
図１は本発明の一実施例に係わる一眼レフレックスタイプの撮像装置であるデジタルカメラの電気的構成を示すブロック図である。
【００１５】
デジタルカメラ２００には、撮像レンズユニット１００が不図示のマウント機構を介して着脱可能である。マウント部には、デジタルカメラ２００と撮像レンズユニット１００の間で通信を行ための電気的接点群１０７が具備されており、この電気接点群１０７を介して撮像レンズ１０１及び絞り１０２の駆動等のための信号の授受が行われる。
【００１６】
図示されない被写体からの撮影光束は、撮像レンズ１０１及び光量を調節するための露出手段である絞り１０２を介して、撮影光路に対して進退可能に回動されるクイックリターンミラー２０２に導かれる。クイックリターンミラー２０２の中央部はハーフミラーになっており、該クイックリターンミラー２０２が図１に示すように撮影光路に進入（以下、ダウン）した際に、一部の光束がこのハーフミラーを透過する。透過した光束は、クイックリターンミラー２０２に設置されたサブミラー２０３で図１において下方に反射され、自動焦点調整用のＡＦ（オートフォーカス）センサ２０４に導かれる。ＡＦセンサ２０４は、撮像画面の複数の位置で焦点検出できるようになっている。
【００１７】
一方、クイックリターンミラー２０２で図１において上方に反射された撮影光束は、ペンタプリズム２０１、接眼レンズ２０６を介して撮影者の目に導かれる。
【００１８】
また、クイックリターンミラー２０２が撮影光路から退避（以下、アップ）した際には、撮像レンズ１０１からの光束は、フォーカルプレーンシャッタ２０８、フィルタ２０９を介してＣＭＯＳ等に代表される撮像素子であるイメージセンサ２１０に導かれる。上記フィルタ２０９は２つの機能を有しており、１つは、赤外線をカットして可視光線のみをイメージセンサ２１０へ導く機能であり、もう１つは、光学ローパスフィルタとしての機能である。上記フォーカルプレーンシャッタ２０８は、先幕及び後幕から成り、撮像レンズ１０１からの光束を透過、遮断してイメージセンサ２１０への光量を調節するものである。
【００１９】
なお、クイックリターンミラー２０２のアップ時には、サブミラー２０３は折り畳まれ、クイックリターンミラー２０２と同様に撮影光路から退避するようになっている。
【００２０】
本実施例におけるデジタルカメラ２００には、当該デジタルカメラ全体の制御を司るＣＰＵにより構成されるシステムコントローラ２２３が具備されており、該システムコントローラ２２３に各部が接続されている。そして、これら各部は該システムコントローラ２２３により適宜制御される。
【００２１】
上記システムコントローラ２２３には、撮像レンズ１０１を光軸方向に移動してピント合わせを行うためのレンズ駆動機構１０３を制御するレンズ制御回路１０４、絞り１０２を駆動するための絞り駆動機構１０５を制御する絞り制御回路１０６が接続される。さらには、クイックリターンミラー２０２のアップ、ダウン及びフォーカルプレーンシャッタ２０８のシャッタチャージを制御するシャッタチャージ・ミラー駆動機構２１１が接続される。さらには、フォーカルプレーンシャッタ２０８の先幕、後幕の走行を制御するためのシャッタ制御回路２１２、接眼レンズ２０６の近傍に配設された測光センサに接続された自動露出用の分割測光手段である測光回路２０７が接続される。さらには、当該デジタルカメラ２００を制御する上で調整が必要なパラメータやデジタルカメラの個体識別が可能なカメラＩＤ情報や、基準レンズで調整されたＡＦ補正データや、自動露出補正値が記憶されている記憶部であるＥＥＰＲＯＭ２２２が接続される。
【００２２】
レンズ制御回路１０４は、レンズ固有の情報、例えば焦点距離、開放絞り、レンズ個々に割り振られるレンズＩＤという情報と、シーケンスコントローラ２２３から受け取った情報を記憶するレンズ記憶部を有している。
【００２３】
デジタルカメラ２００には、パーソナルコンピュータ（ＰＣ）に代表される外部制御装置３００が接続可能になっており、通信インター接眼回路２２４を介して該パーソナルコンピュータ３００とシステムコントローラ２２３とが通信可能になっている。
【００２４】
自動露出調整用の測光回路２０７に接続される測光センサは、被写体の輝度を測定するためのセンサであり、その出力は測光回路２０７を経てシステムコントローラ２２３へ供給される。システムコントローラ２２３は、レンズ駆動機構１０３を制御することにより、被写体像をイメージセンサ２１０上に結像させる。また、システムコントローラ２２３は、設定されたＡｖ値（絞り値情報）に基づいて絞り１０２を駆動する絞り駆動機構１０５を制御し、更に、設定されたＴｖ値（シャッタ速度情報）に基づいた制御信号をシャッタ制御回路２１２へ出力する。
【００２５】
フォーカルプレーンシャッタ２０８の先幕及び後幕は、駆動源がバネにより構成されており、シャッタ走行後、次の動作のためにバネチャージを要する。シャッタチャージ・ミラー駆動機構２１１は、このバネチャージを制御するようになっている。また、シャッタチャージ・ミラー駆動機構２１１によりクリックリターンミラー２０２のアップ、ダウンが行われる。
【００２６】
また、システムコントローラ２２３には、画像データコントローラ２２０が接続される。画像データコントローラ２２０は、ＤＳＰ（デジタル信号プロセッサ）により構成される補正データサンプル部及び補正部である。この画像データコントローラ２２０は、イメージセンサ２１０の制御、該イメージセンサ２１０から入力された画像データの補正や加工などをシステムコントローラ２２３の指令に基づいて実行する。画像データの補正、加工の項目の中にはオートホワイトバランスも含まれる。オートホワイトバランスとは、撮像画像の中の最大輝度の部分を所定の色（白色）に補正する機能である。オートホワイトバランスは、シーケンスコントローラ２２３からの命令により補正量を変更する事が可能である。
【００２７】
画像データコントローラ２２０には、イメージセンサ２１０を駆動する際に必要なパルス信号を出力するタイミングパルス発生回路２１７が接続される。さらには、イメージセンサ２１０と共にタイミングパルス発生回路２１７で発生されたタイミングパルスを受けて、イメージセンサ２１０から出力される被写体像に対応したアナログ信号をデジタル信号に変換するためのＡ／Ｄコンバータ２１６が接続される。さらには、得られた画像データ（デジタルデータ）を一時的に記憶しておくＤＲＡＭ２２１、Ｄ／Ａコンバータ２１５及び画像圧縮回路２１９が接続される。
【００２８】
ＤＲＡＭ２２１は、加工や所定のフォーマットへのデータ変換が行われる前の画像データを一時的に記憶するための記憶手段として使用される。Ｄ／Ａコンバータ２１５には、エンコーダ回路２１４を介して画像表示回路２１３が接続される。画像圧縮回路２１９には、記録手段である画像データ記録メディア２１８が接続される。
【００２９】
画像表示回路２１３は、イメージセンサ２１０で撮影された画像データを画像表示器２３６に表示させるためのものである。画像表示器２３６は、ライブビュー表示、再生画像及び撮影結果確認画像を外部表示する画像表示手段であり、一般にはカラーの液晶表示素子により構成される。そして、ライブビュー撮影時には、該画像表示器２３６にはライブビュー表示（撮像素子で撮像された画像を連続的に取り込み、取り込んだ画像を連続的に表示させることを意味する）が行われる。撮影後には、撮影時のプレビュー画像が表示される。
【００３０】
画像データコントローラ２２０は、ＤＲＡＭ２２１上の画像データを、Ｄ／Ａコンバータ２１５によりアナログ信号に変換してエンコーダ回路２１４へ出力する。エンコーダ回路２１４はこのＤ／Ａコンバータ２１５の出力を、画像表示回路２１３を駆動する際に必要な映像信号（例えばＮＴＳＣ信号）に変換する。
【００３１】
画像圧縮回路２１９は、ＤＲＡＭ２２１に記憶された画像データの圧縮や変換（例えばＪＰＥＧ）を行うためのものである。変換された画像データは、画像データ記録メディア２１８に格納される。記録メディアとしては、ハードディスク、フラッシュメモリ等が使用される。
【００３２】
システムコントローラ２２３には、さらに、当該デジタルカメラ２００の動作モードの情報や露出情報（シャッタ秒時、絞り値等）の表示を行うための動作表示回路２２５が接続される。さらには、測光・焦点検出（測距）などの撮影準備動作及びライブビュー撮影モード時の画像取り込みを開始させるための第１ストロークスイッチ２３０（以下、スイッチＳＷ１）が接続される。さらには、通常撮影モード時の撮影動作の開始を指示するための第２ストロークスイッチ２３１（以下、スイッチＳＷ２）が接続される。さらには、撮影者（使用者）が所望の動作を当該デジタルカメラ２００に実行させるべくモードを設定するモード設定スイッチ２２９が接続される。さらには、ＡＦセンサ２０４が持つ複数のＡＦエリアから使用するＡＦエリアを選択するためのＡＦエリア選択スイッチ２２８が接続される。さらには、使用する測光エリアを選択する測光エリア選択スイッチ２３５、回転動作によりパラメータをアップ、ダウンさせて表示する電子ダイヤルスイッチ２２６が接続される。上記のスイッチＳＷ２は、ライブビュー撮影モード時には、ライブビュー撮影開始及びライブビュー撮影終了のためのスイッチとしての機能も有する。
【００３３】
２３３は接眼検知部の投光部、２２７は接眼検知部の受光部である。投光部２３３からは赤外光が発せられる。ファインダに撮影者の眼あった場合、投光部２３３が発した近赤外光は眼で反射し、反射した赤外光が受光部２２７に到達する。この事により、ファインダに撮影者の顔があるかどうかを検知できる。通常撮影モード時には、接眼検知部で撮影者の接眼状態を検知すると、カメラ本体背面に設けられている画像表示器２３６の表示機能をオフにする。この事により、撮影者がファインダを覗いた場合等の、背面の画像表示器２３６が不要とされる状態の時は、画像表示回路２１３及び画像表示器２３６の動作を停止する事で、省エネを実現することができる。
【００３４】
次に、図２を用いて、撮影モードの選択シーケンスについて説明する。
【００３５】
ステップＳ１０１では、撮影モード選択操作が行われたか否かを判定する。撮影モード選択操作は、モード設定スイッチ２２９と電子ダイヤルスイッチ２２６により行われる。モード設定スイッチ２２９がオンの状態で電子ダイヤルスイッチ２２６が操作されると、撮影モードが順次切り換わる。
【００３６】
上記ステップＳ１０１にて撮影モード選択操作が行われ、ライブビュー撮影モードが選択された場合はステップＳ１０２へ進み、ライブビュー撮影シーケンスへ移行する。一方、ステップＳ１０１にてライブビュー撮影モード以外が選択されていた場合はステップＳ１０３へ進み、通常撮影シーケンスへ移行する。
【００３７】
次に、図３を用いて、図２のステップＳ１０３にて行われる通常撮影シーケンスについて説明する。
【００３８】
ステップＳ２０１では、スイッチＳＷ１がオンされたか否か判定する。オンされていなければオンされるまでこのステップで待機する。その後、スイッチＳＷ１がオンされると、撮影時の露出量を決定するステップＳ２０２〜Ｓ２０３及びピントを合わせるステップＳ２０４〜Ｓ２０６へそれぞれ分岐し、これらの並行処理を行う。
【００３９】
ステップＳ２０２へ進むと、撮像レンズ１０１を通り、主ミラー２０２で反射され、ペンタプリズム２０１を通過した光束を、測光回路２０７により測光する。次のステップＳ２０３では、シーケンスコントローラ２２３が測光回路２０７の出力に応じて撮影時の露出量（絞り値、シャッタ速度の各情報）を決定する。そして、ステップＳ２０８へ進む。
【００４０】
一方、ステップＳ２０４へ進むと、シーケンスコントローラ２２３がＡＦセンサ２０４、焦点検出回路２０５を用いて焦点検出を行う。次のステップＳ２０５では、焦点検出が出来たか否かを判定する。被写体が低コントラストの場合や暗い場合は、焦点検出が出来ない事がある。焦点検出が出来なかった場合にはステップＳ２０７へ進み、警告を行う。焦点検出が出来た場合はステップＳ２０６へ進み、焦点検出結果に基づいてシステムコントローラ２２３がレンズ制御回路１０４にレンズ駆動量を送信する。これにより、レンズ制御回路１０４がレンズ駆動量に基づいてレンズ駆動機構１０３を制御し、撮像レンズ１０１が合焦位置へと移動する。その後はステップＳ２０８へ進む。
【００４１】
次のステップＳ２０８では、スイッチＳＷ２がオンされたか否かを判定し、オンされていなければオンされるまで待機する。その後、スイッチＳＷ２がオンされるとステップＳ２０９へ進み、システムコントローラ２２３がシャッタチャージ・ミラー駆動機構２１１を制御してクイックリターンミラー２０２をアップさせる。
【００４２】
次のステップＳ２１０では、ステップＳ２０３で設定された絞り値情報をシステムコントローラ２２３が絞り制御回路１０６へ送信し、絞り駆動機構１０５を駆動して、設定された絞り値まで絞り１０２を絞り込ませる。次のステップＳ２１１では、システムコントローラ２２３がフォーカルプレーンシャッタ２０８を開くよう、各部を制御する。続くステップＳ２１２では、シーケンスコントローラ２２３が画像データコントローラ（ＤＳＰ）２２０に対して撮像素子であるイメージセンサ２１０の積分動作を指示する。そして、ステップＳ２１３にて、所定時間、待機する。
【００４３】
上記の積分時間が終わるとステップＳ２１４へ進み、フォーカルプレーンシャッタ２０８を閉じる。次のステップＳ２１５では、システムコントローラ２２３が次回の動作に備えてフォーカルプレーンシャッタ２０８のチャージ動作及びミラーダウン駆動を行う。次のステップＳ２１６では、絞り１０２を開放へと駆動し、続くステップＳ２１７にて、シーケンスコントローラ２２３が画像データコントローラ２２０に対してイメージセンサ２１０から画像データを取り込むように指示する。そして、次のステップＳ２１８にて、読み出した画像データを画像圧縮回路２１９を通して画像データ記録メディア２１８へ記録させる。
【００４４】
次に、図４を用いて、図２のステップＳ１０２にて行われるライブビュー撮影シーケンスについて説明する。
【００４５】
ステップＳ３０１では、スイッチＳＷ１がオンされたか否か判定する。オンされていなければオンされるまでこのステップで待機する。その後、スイッチＳＷ１がオンされると、ライブビュー開始直後の露出量を決定するステップＳ３０２〜Ｓ３０３及びピントを合わせるステップＳ３０４〜Ｓ３０６にそれぞれ分岐し、並行処理を行う。
【００４６】
ステップＳ３０２へ進むと、撮像レンズ１０１を通り、主ミラー２０２で反射され、ペンタプリズム２０１を通過した光束を、測光回路２０７で測光する。そして、次のステップＳ３０３にて、シーケンスコントローラ２２３が測光回路２０７の出力に応じてライブビュー開始直後の露出量（絞り値、シャッタ速度の各情報）を決定する。そして、ステップＳ３０８へ進む。
【００４７】
一方、ステップＳ３０４へ進むと、シーケンスコントローラ２２３がＡＦセンサ２０４、焦点検出回路２０５を用いて焦点検出を行う。そして、次のステップＳ３０５にて、焦点検出が出来たか否かを判定する。被写体が低コントラストの場合や暗い場合には、焦点検出が出来ない事がある。焦点検出が出来なかった場合にはステップＳ３０７へ進み、警告を行う。焦点検出が出来た場合はステップＳ３０６へ進み、焦点検出結果に基づいてシステムコントローラ２２３がレンズ制御回路１０４にレンズ駆動量を送信する。これにより、レンズ制御回路１０４がレンズ駆動量に基づいてレンズ駆動機構１０３を制御し、撮像レンズ１０１が合焦位置へと移動する。その後はステップＳ３０８へ進む。
【００４８】
ステップＳ３０８では、スイッチＳＷ２がオンされたか否かを判定し、オンされていなければオンされるまで待機する。その後、スイッチＳＷ２がオンされるとステップＳ３０９へ進む。なお、ステップＳ３０８でスイッチＳＷ２のオンが検出された以降は、スイッチＳＷ１はライブビュー画像取り込みを指示するスイッチとなり、スイッチＳＷ２はライブビュー撮影完了を指示するスイッチとなる。ステップＳ３０９へ進むと、システムコントローラ２２３がシャッタチャージ・ミラー駆動機構２１１を制御してクイックリターンミラー２０２をアップさせる。
【００４９】
次のステップＳ３１０では、ステップＳ３０３で設定された絞り値情報をシステムコントローラ２２３が絞り制御回路１０６へ送信し、絞り駆動機構１０５を駆動して、設定された絞り値まで絞り１０２を絞り込ませる。次いでステップＳ３１１にて、システムコントローラ２２３がフォーカルプレーンシャッタ２０８を開くよう、各部を制御する。続くステップＳ３１２では、シーケンスコントローラ２２３が画像データコントローラ２２０に対してイメージセンサ２１０から画像データを取り込むように指示する。
【００５０】
次のステップＳ３１３では、取り込んだ画像データを基に合焦動作を行い、かつ露出（ＡＥ）を決定する。続くステップＳ３１４では、シーケンスコントローラ２２３が画像データコントローラ２２０に対してイメージセンサ２１０から画像データを取り込むように指示する。これにより、画像表示回路２１３等を介して画像表示器２３６にフレーミングを助けるためのライブビュー表示が行われる。
【００５１】
次のステップＳ３１５では、投光部２３３及び受光部２２７より構成される接眼検知部により接眼検知を行う。ここで、ライブビュー画像を見るためにファインダを覗いている（接眼している）撮影者の顔を検知した場合、ステップＳ３１６へ進む。また、顔を検知しなかった場合も同様にステップＳ３１６へ進む。本実施例では、ライブビュー撮像モード時は、接眼検知部の検知結果により画像表示回路２１３の動作を制御しないので、接眼検知部の検知結果に関わらず画像表示器２３６でのライブビュー表示は継続されることとなる。
【００５２】
ステップＳ３１６では、ライブビュー画像取り込み開始のためのスイッチＳＷ１がオンしたか否かを判定し、オンしていない場合はステップＳ３１２へ戻り、同様の動作を繰り返す。一方、スイッチＳＷ１がオンした場合はステップＳ３１７へ進み、シーケンスコントローラ２２３が画像データコントローラ２２０に対してイメージセンサ２１０からスイッチＳＷ１がオンしたタイミングの画像を記録用画像として画像取り込み指示を行う。そして、次のステップＳ３１８にて、読み出した画像データを画像圧縮回路２１９を通して画像データ記録メディア２１８に記録させる。
【００５３】
次のステップＳ３１９では、スイッチＳＷ２がオンしているか否かを判定する。オフしている場合、ライブビュー撮影の続行と判定してステップＳ３１２へ戻り、同様の動作を繰り返す。一方、スイッチＳＷ２がオンしていた場合はライブビュー撮影の完了と判定して、ステップＳ３２０へ進む。
【００５４】
ステップＳ３２０では、フォーカルプレーンシャッタ２０８を閉じる。そして、次のステップＳ３２１にて、システムコントローラ２２３が次回の動作に備えてフォーカルプレーンシャッタ２０８のチャージ動作及びミラーダウン駆動を行う。そして、次のステップＳ３２２にて、絞り１０２を開放へと駆動する。
【００５５】
上記実施例によれば、ライブビュー撮影モード時におけるライブビュー表示中に、接眼検知部によって、ファインダ使用に類する状態を検知（顔検知に限らず、手が近接された場合等であっても良い）しても、ライブビュー表示は継続させるようにしている。よって、例えばライブビュー表示を見ながらのフレーミング時に、一時的に光学ファインダを覗いた等しても、ライブビュー表示は終了しないので、ライブビュー撮影時の操作性を損なう事がない。
【００５６】
上記実施例では、撮影者が光学ファインダにて被写体像を観察しているか否かを検知する接眼検知手段として、赤外光投光部と受光部を用いた接眼検知部を用いた。しかし、赤外光投光部及び受光部を用いて視線を検出し、ＡＦエリア選択等を行う手段を用いても同様の効果が得られる。
【００５７】
また、本実施例では、接眼検知部の検知結果によって画像表示器２３６での表示状態を切り換えないようにしている。しかし、ライブビュー撮像モード時は、接眼検知部の検知動作そのものを停止（禁止）しても同様の効果が得られる。
【００５８】
上記の実施例によれば、通常撮影モードに切り換えられている場合には、接眼検知部によって、光学ファインダに使用者の目が接近したことが検知されたときに、画像表示器２３６の表示をオフにするように制御している。ライブビュー撮影モードに切り換えられている場合には、接眼検知部によって、光学ファインダに使用者の目が接近したことが検知されたとしても、画像表示器２３６の表示を継続するように制御している。あるいは、ライブビュー撮影モードに切り換えられている場合には、接眼検知部の検知動作を禁止するように制御している。
【００５９】
この事により、クリックリターンミラーを有するデジタルカメラにおいて、ライブビュー撮影時の操作性を損なう事がない。
【００６０】
（本発明と実施例の対応）
ペンタプリズム２０１および接眼レンズ２０６が本発明の光学ファインダに、画像表示器２３６が画像表示器に、接眼検知部用の受光部２２７と投光部２３３が接眼検知手段に、それぞれ相当する。また、モード設定スイッチ２２９と電子ダイヤルスイッチ２２６が本発明の撮影モード切換手段に、システムコントローラ２２３が制御手段に、それぞれ相当する。
【図面の簡単な説明】
【００６１】
【図１】本発明の一実施例に係る一眼レフレックスデジタルカメラの回路構成を示すブロック図である。
【図２】本発明の一実施例に係る一眼レフレックスデジタルカメラにおける撮影モード選択シーケンスを示すフローチャートである。
【図３】本発明の一実施例に係る一眼レフレックスデジタルカメラにおける通常撮影シーケンスを示すフローチャートである。
【図４】本発明の一実施例に係る一眼レフレックスデジタルカメラにおけるライブビュー撮影シーケンスを示すフローチャートである。
【符号の説明】
【００６２】
１００      撮像レンズユニット
１０１      撮像レンズ
１０２      絞り
１０３      レンズ駆動機構
１０４      レンズ制御回路
１０５      絞り駆動機構
１０６      絞り制御回路
２００      デジタルカメラ
２０１      ペンタプリズム
２０２      クイックリターンミラー
２０４      ＡＦセンサ
２０６      接眼レンズ
２０７      測光回路
２０８      フォーカルプレーンシャッタ
２１０      イメージセンサ
２１１      シャッタチャージ・ミラー駆動機構
２１２      シャッタ制御回路
２１３      画像表示回路
２１６      画像表示器
２１８      画像データ記録メディア
２２０      画像データコントローラ
２２３      システムコントローラ
２２７      接眼検知部用の受光部
２３０      スイッチ（ＳＷ２）
２３１      スイッチ（ＳＷ１）
２３３      接眼検知部用の投光部
２３６      画像表示器
【図１】
2008258969.tif 000003
【図２】
2008258969.tif 000004
【図３】
2008258969.tif 000005
【図４】
2008258969.tif 000006